(57)【要約】【課題】マージナルパンチ部のパンチ孔列部位をプリンタ装置のスリッターなどにて除去しても、各帳票の重ね合わせ状態が維持されて、かつ必要時にその帳票の分離が容易に行なえるようにし、取り扱い容易な伝票を提供する。【解決手段】第二マージナルパンチ部９それぞれに、パンチ孔より帳票３側となる同一位置にして第二マージナルパンチ部９の長手方向に沿った第三切り取りミシン目１２を設け、この第三切り取りミシン目１２の帳票側に沿った位置で第二マージナルパンチ部９を綴じ合わせた。【選択図】    図１
2005074851.tif 000002
【特許請求の範囲】
【請求項１】
それぞれ情報記載部を備えた複数枚の帳票を重ね合わせ、最上位の帳票の前記情報記載部に記載した情報が下位の帳票の情報記載部それぞれに複写されるカーボン複写方式またはノンカーボン複写方式からなる同時複写構成を備え、
各帳票の一端側に第一切り取りミシン目を介して第一マージナルパンチ部が分離可能に連接され、重ね合されている前記第一マージナルパンチ部を相互に綴じ合わせ、
各帳票の他端側の帳票種別表示部を階段状に配置し、この帳票種別表示部に第二切り取りミシン目を介して第二マージナルパンチ部が分離可能に連接され、重ね合されている前記第二マージナルパンチ部を相互に綴じ合わせた伝票において、
前記第二マージナルパンチ部それぞれに、パンチ孔より帳票側となる同一位置にして第二マージナルパンチ部の長手方向に沿った第三切り取りミシン目を設け、この第三切り取りミシン目の帳票側に沿った位置で第二マージナルパンチ部を綴じ合わせて、
この第二マージナルパンチ部の綴じ部から第二切り取りミシン目に亘る領域それぞれを帳票に連接した状態で、第二マージナルパンチ部におけるパンチ孔列部位を第三切り取りミシン目から分離除去し、かつ第一切り取りミシン目から第一マージナルパンチ部を分離除去したときに、帳票の重ね合わせが第二綴じ部により維持される構成としたことを特徴とする伝票。
【発明の詳細な説明】
【技術分野】
【０００１】
本発明は複数枚の帳票を重ね合わせてなる伝票に関するものである。
【背景技術】
【０００２】
従来から物品の管理に用いる伝票においては、その物品を取り扱う各部所での記録も得られるようにするため、仕入れ票、受領票、納品書などの複数枚の帳票を一組として構成され、その複数枚の帳票の重ね合わせ形態で帳票それぞれの端部側に設けた帳票種別表示部が階段状にして表れるようにして、必要とする種類の帳票が伝票のどこにあるかを分かり易くしている。また、この複数枚の帳票それぞれの情報記載部に同一の物品情報などを繰り返して記入する手間を軽減するために、複数枚の帳票を重ね合わせて、最上位の帳票の情報記載部に記載した情報が下位の帳票の各情報記載部にも同時複写できるように、カーボン複写方式やノンカーボン複写方式の同時複写構成を備える伝票も多く利用されている。
【０００３】
さらに、このような伝票にあっても報記入の機械化に対応できるように複数単位を連接したものがある。図４と図５はその例を示していて、伝票１は、それぞれ情報記載部２を重ね合わせ位置が同一となるようにした仕入れ票と物品受領書と納品書との三枚の帳票３を重ね合わせ、最上位の帳票３である仕入れ票の情報記載部２に記載した情報が下位の物品受領書や納品書の各情報記載部２それぞれにも複写されるカーボン複写方式或いはノンカーボン複写方式からなる同時複写構成を備えているものである。
そして、各帳票３の一端側に第一切り取りミシン目４を介して第一マージナルパンチ部５を分離可能に連接していて、重ね合されている前記第一マージナルパンチ部５を外側端側に塗布した接着剤にて相互に綴じ合わせ、その接着剤からなる第一綴じ部６を第一マージナルパンチ部５の重ね合わせ部分に構成している。さらに、前記各帳票３の他端側の帳票種別表示部７を階段状に配置し、この帳票種別表示部７それぞれに第二切り取りミシン目８を介して第二マージナルパンチ部９を分離可能に連接し、重ね合されている前記第二マージナルパンチ部９を外側端側に塗布した接着剤にて相互に綴じ合わせ、その接着剤からなるもう一つの第二綴じ部１０を第二マージナルパンチ部９の重ね合わせ部分に位置させている。
このように伝票を分離可能に連接してその両側に上記第一、第二マージナルパンチ部５、９を設けた連続形態とすることで、プリンタにて連続的に多くの伝票に対して情報を出力できるようになり、情報記載が効率的に行なえるものとなるようにしていた。
【発明の開示】
【発明が解決しようとする課題】
【０００４】
上述のように、各帳票の一端側に第一切り取りミシン目を介して第一マージナルパンチ部を分離可能に連接し、各帳票の帳票種別表示部側に第二切り取りミシン目を介して第二マージナルパンチ部を分離可能に連接している上記伝票にあっては、第一、第二マージナルパンチ部を連接した状態のままで一単位の伝票を取り扱うときには複数枚の帳票の重ね合わせを維持した状態となり、そして、仮に第二マージナルパンチ部を除去しても、残りの第一マージナルパンチ部の第一綴じ部にて各帳票の重ね合わせ状態が維持され、伝票を単体で取り扱うときに帳票の脱落などを生じさせず、しかも残りの第一マージナルパンチ部を除去することで即座に各帳票を一度に分離できるものとなる。
しかしながら、情報出力後にプリンタ装置側で第一、第二マージナルパンチ部をともに除去し、帳票側の形態を変更することなく一単位の伝票が単体として取り扱え、かつ必要時に即座に各帳票に分離可能とする要望がなされるようになってきた。
そこで本発明はマージナルパンチ部のパンチ孔列部位をプリンタ装置のスリッターなどにて除去しても、各帳票の重ね合わせ状態が維持されて、かつ必要時にその帳票の分離が容易に行なえるようにすることを課題とし、取り扱い容易な伝票を提供することを目的とするものである。
【課題を解決するための手段】
【０００５】
本発明は上記課題を考慮してなされたもので、それぞれ情報記載部を備えた複数枚の帳票を重ね合わせ、最上位の帳票の前記情報記載部に記載した情報が下位の帳票の情報記載部それぞれに複写されるカーボン複写方式またはノンカーボン複写方式からなる同時複写構成を備え、各帳票の一端側に第一切り取りミシン目を介して第一マージナルパンチ部が分離可能に連接され、重ね合されている前記第一マージナルパンチ部を相互に綴じ合わせ、各帳票の他端側の帳票種別表示部を階段状に配置し、この帳票種別表示部に第二切り取りミシン目を介して第二マージナルパンチ部が分離可能に連接され、重ね合されている前記第二マージナルパンチ部を相互に綴じ合わせた伝票において、前記第二マージナルパンチ部それぞれに、パンチ孔より帳票側となる同一位置にして第二マージナルパンチ部の長手方向に沿った第三切り取りミシン目を設け、この第三切り取りミシン目の帳票側に沿った位置で第二マージナルパンチ部を綴じ合わせて、この第二マージナルパンチ部の綴じ部から第二切り取りミシン目に亘る領域それぞれを帳票に連接した状態で、第二マージナルパンチ部におけるパンチ孔列部位を第三切り取りミシン目から分離除去し、かつ第一切り取りミシン目から第一マージナルパンチ部を分離除去したときに、帳票の重ね合わせが第二綴じ部により維持される構成としたことを特徴とする伝票を提供して、上記課題を解消するものである。
【発明の効果】
【０００６】
本発明によれは、第二マージナルパンチ部それぞれに、パンチ孔より帳票側となる同一位置にして第二マージナルパンチ部の長手方向に沿った第三切り取りミシン目を設けているので、第二マージナルパンチ部のパンチ孔列部位と各帳票種別表示部との間に、各帳票の構成には影響を及ぼさない余剰部が形成され、その余剰部同士が第二マージナルパンチ部の綴じ部にて綴じ合わされているため、第一マージナルパンチ部を分離除去し、また、第二マージナルパンチ部のパンチ孔列部位を第三切り取りミシン目から分離除去しても、前記余剰部の綴じ部で帳票の重ね合わせが維持されるようにしてるので、単体としての伝票の取り扱いが容易であり、さらに、第二切り取りミシン目から各余剰部を分離除去することで各帳票を一度に分離できるようになり、帳票自体の構成を変更することなく取り扱い容易な伝票が得られるなど、実用性に優れた効果を奏するものである。
【発明を実施するための最良の形態】
【０００７】
つぎに本発明を図１から図３に示す実施の形態に基づいて詳細に説明する。なお、図４と図５に示す従来例と構成が重複する部分は同符号を付してその説明を省略する。
伝票１においては、図１に示すように重ね合された三枚の帳票３の一辺方向の長さ寸法が下位になるに従って段階的に大きく設けられ、位置揃えされた第一マージナルパンチ部５側の一端とは異なって帳票３の他端部が階段状に重なり、その他端部それぞれに帳票種別表示部７が位置している。そして、前記帳票種別表示部７それぞれに第二切り取りミシン目８を介して第二マージナルパンチ部９が分離可能に連接されて、この第二マージナルパンチ部９が重ね合されている。これら各第二マージナルパンチ部９は上位から段階的に幅寸法（帳票の長手方向での幅寸法）が小さく設けられて外側端が位置揃えされ、重なり位置が同一にしてパンチ孔１１が開口している。
【０００８】
本発明では上記第二マージナルパンチ部９それぞれにおいて、パンチ孔１１より帳票側であって上下の重なり位置を同一として第三切り取りミシン目１２が穿設され、この第三切り取りミシン目１２が第二マージナルパンチ部９の長手方向に沿っている。この第三切り取りミシン目１２によって第二マージナルパンチ部９それぞれのパンチ孔列部位１３が分離可能となる。さらに、第二切り取りミシン目８とこの第三切り取りミシン目１２との間が余剰部１４として形成されている。
そして、この第三切り取りミシン目１２の帳票側に沿った位置で第二マージナルパンチ部９における上記余剰部１４を接着剤にて綴じ合わせた第二綴じ部１０が設けられていて、従来例において第二マージナルパンチ部９の外側端に位置している第二綴じ部１０の位置とは異なる部分にこの第二綴じ部１０が設けられている。これによって、第一綴じ部６と第二綴じ部１０との両者が存在する時点では、各帳票３の重ね合わせ状態の維持が第一マージナルパンチ部５の前記第一綴じ部６と前記第二マージナルパンチ部９の余剰部１４での第二綴じ部１０とによって行われるものとなる（図２）。
【０００９】
上記構造の伝票１において情報出力後に第一マージナルパンチ部５が第一切り取りミシン目４から切り取り除去され、また、第二マージナルパンチ部９のパンチ孔列部位１３が第三切り取りミシン目１２から切取り除去される（図３）。この時点においても上記帳票３それぞれには余剰部１４が連続した状態であってこの余剰部１４が第二綴じ部１０で綴じ合わされているため、帳票３の重ね合わせ状態が維持され、よって伝票１の単体としての形態が保たれて取り扱いが容易となるようにしている。そして、必要時に第二綴じ部１０の部分を持って各余剰部１４を第二切り取りミシン目８から切取り除去すれば、帳票３が分離しそれぞれを単独に取り扱える状態となる。
このように伝票１の両側にあるパンチ孔の部分を取り除いても、余剰部を切取り除去するまで帳票の重ね合わせ状態を維持できることとなり、頗る取り扱いが容易な伝票となる。
【００１０】
なお、図示の例では両側にマージナルパンチ部を有した一単位の伝票を示したが、本発明はこれに限定されるものではなく、複数単位が連続している形態であってもよい。また、帳票の重ね合わせ枚数も三枚に限定されるものではない。
【図面の簡単な説明】
【００１１】
【図１】本発明に係る伝票の実施の形態を一部切り欠いて示す説明図である。
【図２】実施の形態を伝票長手方向の断面で示す説明図である。
【図３】実施の形態において第一マージナルパンチ部と第二マージナルパンチ部のパンチ列部位とを分離した状態を断面で示す説明図である。
【図４】従来例を示す説明図である。
【図５】従来例を断面で示す説明図である。
【符号の説明】
【００１２】
１…伝票
３…帳票
４…第一切り取りミシン目
５…第一マージナルパンチ部
６…第一綴じ部
８…第二切り取りミシン目
９…第二マージナルパンチ部
１０…第二綴じ部
１２…第三切り取りミシン目
１３…パンチ孔列部位
１４…余剰部
【図１】
2005074851.tif 000003
【図２】
2005074851.tif 000004
【図３】
2005074851.tif 000005
【図４】
2005074851.tif 000006
【図５】
2005074851.tif 000007